(57)【要約】【課題】機器の固有情報と、操作端末に記憶される機器の配置情報とを効率的に関連付けできる、機器の登録方法、及びその方法を実行するプログラム、及び機器システムを提供する。【解決手段】照明器具２１の登録方法は、複数の照明器具２１を、照明器具２１を操作する操作端末７に記憶される複数の照明器具２１の複数の配置情報に関連付ける。照明器具２１の登録方法が、複数の照明器具２１に含まれる各照明器具２１の固有情報を、ＲＦリーダ８を用いて少なくとも２以上連続して読み取るステップと、操作端末７に複数の照明器具２１の複数の配置情報を記憶するステップと、ＲＦリーダ８で連続的に読み取られた少なくとも２以上の固有情報を、複数の照明器具２１の配置情報のうちの少なくとも２以上の配置情報に連続して関連付けるステップと、を含むようにする。【選択図】図１
2018206516.tif 000002
【特許請求の範囲】
【請求項１】
複数の機器を、前記機器を操作する操作端末に記憶される前記複数の機器の複数の配置情報に関連付ける機器の登録方法において、
前記複数の機器に含まれる前記各機器の固有情報を、読取装置を用いて少なくとも２以上連続して読み取るステップと、
前記操作端末に前記複数の配置情報を記憶するステップと、
前記読取装置で読み取られた少なくとも２以上の前記固有情報を、前記複数の配置情報のうちの少なくとも２以上の配置情報に連続して関連付けるステップと、を含む機器の登録方法。
【請求項２】
複数の機器を、前記機器を操作する操作端末に記憶される前記複数の機器の複数の配置情報に関連付ける機器の登録方法において、
前記複数の機器に含まれる前記各機器の固有情報を、読取装置を用いて少なくとも２以上を連続して読み取るステップと、
前記操作端末に前記複数の配置情報を記憶するステップと、
前記読取装置で読み取られた少なくとも２以上の前記固有情報を、前記複数の機器に含まれる少なくとも２以上の前記機器で構成される同一のグループの少なくとも２以上の前記配置情報に関連付けるステップと、を含む機器の登録方法。
【請求項３】
前記少なくとも２以上の固有情報を、前記グループと、そのグループの属性とに関連づけるステップを含む、請求項２に記載の機器の登録方法。
【請求項４】
前記読取装置で読み取った複数の前記固有情報の数が、前記操作端末に登録された複数の前記機器の数より多い時に、読み取った前記複数の固有情報のうちの１以上の前記固有情報を削除するステップを含む、請求項１乃至３のいずれか１つに記載の機器の登録方法。
【請求項５】
前記読取装置で読み取った複数の前記固有情報の数が、前記操作端末に登録された複数の前記機器の数より少ない時に、新たに読み取った機器の固有情報を前記操作端末に挿入するステップを含む、請求項１乃至３のいずれか１つに記載の機器の登録方法。
【請求項６】
前記固有情報の読み取りを、ＲＦタグを用いて行う、請求項１乃至５のいずれか１つに記載の機器の登録方法。
【請求項７】
前記固有情報の読み取りを、識別子を用いて行う、請求項１乃至５のいずれか１つに記載の機器の登録方法。
【請求項８】
前記読取装置が、延伸構造を備えた支持体と、トリガ部とを備える、請求項１乃至７のいずれか１つに記載の機器の登録方法。
【請求項９】
前記支持体は、前記操作端末を固定する取り付け部を備える、請求項１乃至８のいずれか１つに記載の機器の登録方法。
【請求項１０】
前記機器は、照明器具、空気調和器、又はセンサである、請求項１乃至９のいずれか１つに記載の機器の登録方法。
【請求項１１】
前記配置情報に関連づけられて前記固有情報を含む機器情報が、固有のアドレス情報、品番、品名、型番、調光カーブ、色温度−出力範囲、及び色調範囲のうちの少なくとも１つに関連した情報を含む、請求項１乃至１０のいずれか１つに記載の機器の登録方法。
【請求項１２】
複数の機器を、前記機器を操作する操作端末に記憶される前記複数の機器の前記複数の配置情報に関連付ける処理をコンピュータに実行させるプログラムであって、
前記複数の機器であって前記各機器が固有情報を有する前記複数の機器に含まれる２以上の前記固有情報であって、操作端末に入力された２以上の前記固有情報を、前記操作端末に記憶された前記複数の配置情報のうちの２以上の前記配置情報に同時に関連づける処理か、又は関連付けの順序が決まっている２以上の前記配置情報に前記順序の順に連続的に関連づける処理を、コンピュータに実行させるプログラム。
【請求項１３】
複数の機器と、請求項１乃至１１のいずれか１つに記載の機器の登録方法を用いて前記機器の固有情報が登録された操作端末と、を備える機器システム。
【請求項１４】
複数の機器と、請求項１に記載の機器の登録方法を用いて前記機器の固有情報が登録された操作端末と、を備え、前記機器が照明器具であり、複数の照明器具が、少なくとも一回、前記固有情報が読み取られた順番に点灯可能である、機器システム。
【発明の詳細な説明】
【技術分野】
【０００１】
本開示は、機器の登録方法、その方法を実行するプログラム、及び機器システムに関する。
【背景技術】
【０００２】
建物に取り付けられる機器、例えば、照明器具、空調機器、センサ等を、操作端末で制御するときには、有線もしくは無線通信で機器と操作端末を接続する必要がある。ここで、複数の機器が存在す場合、各機器を制御するには、各機器のＩＤやアドレスを操作端末に登録する必要がある。
【０００３】
例えば、特許文献１に記載された操作端末への登録では、まず、設置空間に対する照明器具の情報を含むマップ情報を操作端末に記憶し、そのマップ上において登録しようとする照明器具が設置された位置を選択する。次に、受信機で照明器具のコード情報を獲得し、コード情報から通信の固有アドレス情報を読み取る。その後、前記マップ上で選択された位置情報に照明器具の固有アドレス情報をマッチングさせて格納することで登録を行う。登録が完了すると照明器具の照明制御を操作端末で実行できる。
【先行技術文献】
【特許文献】
【０００４】
【特許文献１】特開２０１５−２６６１５号公報
【発明の概要】
【発明が解決しようとする課題】
【０００５】
マップ上において登録しようとする照明器具が設置された位置を選択する作業や、マップ上で選択された位置情報に照明器具の固有アドレス情報をマッチングさせる作業は、機器毎に実行されなければならない。よって、登録する機器が増えるにつれて当該作業に時間及び労力が必要になる。
【０００６】
そこで、本開示の目的は、機器の固有情報と、操作端末に記憶される機器の配置情報とを効率的に関連付けできる、機器の登録方法、及びその方法を実行するプログラム、及び機器システムを提供することにある。
【課題を解決するための手段】
【０００７】
上記課題を解決するため、本開示の一態様における機器の登録方法は、複数の機器を、機器を操作する操作端末に記憶される複数の機器の複数の配置情報に関連付ける機器の登録方法において、複数の機器に含まれる各機器の固有情報を、読取装置を用いて少なくとも２以上連続して読み取るステップと、操作端末に複数の配置情報を記憶するステップと、読取装置で読み取られた少なくとも２以上の固有情報を、複数の配置情報のうちの少なくとも２以上の配置情報に連続して関連付けるステップと、を含む。
【０００８】
また、本開示の別態様における機器の別態様の機器の登録方法は、複数の機器を、機器を操作する操作端末に記憶される複数の機器の複数の配置情報に関連付ける機器の登録方法において、複数の機器に含まれる各機器の固有情報を、読取装置を用いて少なくとも２以上を連続して読み取るステップと、操作端末に複数の配置情報を記憶するステップと、読取装置で読み取られた少なくとも２以上の固有情報を、複数の機器に含まれる少なくとも２以上の機器で構成される同一のグループの少なくとも２以上の配置情報に関連付けるステップと、を含む。
【０００９】
また、本開示のプログラムは、複数の機器を、機器を操作する操作端末に記憶される複数の機器の複数の配置情報に関連付ける処理をコンピュータに実行させるプログラムであって、複数の機器であって各機器が固有情報を有する複数の機器に含まれる２以上の固有情報であって、操作端末に入力された２以上の固有情報を、操作端末に記憶された複数の配置情報のうちの２以上の配置情報に同時に関連づける処理か、又は関連付けの順序が決まっている２以上の配置情報に該順序の順に連続的に関連づける処理を、コンピュータに実行させる。
【発明の効果】
【００１０】
本開示によれば、機器の固有情報と、操作端末に記憶される機器の配置情報とを効率的に関連付けできる。
【図面の簡単な説明】
【００１１】
【図１】本開示の第１実施形態に係る機器の登録方法を使用可能な照明システムの概要を説明する図である。
【図２】上記照明システムに含まれる照明器具の構成を説明する図である。
【図３】上記照明器具に含まれるＲＦタグの構成を説明する図である。
【図４】第１実施形態において機器の登録を行う際に作業者が行う作業手順の一例を示すフローチャートである。
【図５Ａ】第１実施形態において機器の登録を行う際に表れる操作端末の操作画面を表す図である。
【図５Ｂ】第１実施形態において機器の登録を行う際に表れる操作端末の操作画面を表す図である。
【図５Ｃ】第１実施形態において機器の登録を行う際に表れる操作端末の操作画面を表す図である。
【図５Ｄ】第１実施形態において機器の登録を行う際に表れる操作端末の操作画面を表す図である。
【図６Ａ】操作端末の設定完了後において、機器が制御されている状態を示す図である。
【図６Ｂ】１以上の特定の機器が点灯制御されて選択されている状態で操作端末に表れる操作画面を示す図である。
【図７】読取装置の操作画面を表す図であり、読取作業の修正について説明するための図である。
【図８】読取装置の操作画面を表す図であり、読取作業の修正について説明するための図である。
【図９】本開示の第２実施形態に係る機器の登録方法を使用可能な照明システムの概要を説明する図である。
【図１０】第２実施形態において図２に対応する照明器具の構成を説明する図である。
【図１１Ａ】第２実施形態における照明状態を制御する制御コマンドの送信経路について説明する図である。
【図１１Ｂ】第２実施形態における操作端末上の照明制御画面を表す図である。
【図１２Ａ】第２実施形態において機器の登録を行う際に表れる操作端末の操作画面を表す図である。
【図１２Ｂ】第２実施形態において機器の登録を行う際に表れる操作端末の操作画面を表す図である。
【図１２Ｃ】第２実施形態において機器の登録を行う際に表れる操作端末の操作画面を表す図である。
【図１２Ｄ】第２実施形態において照明状態を制御する操作画面を示す図である。
【図１３】第１及び第３実施形態でＲＦタグのＩＤを読み取る際に好適に用いることができる読取装置の構成を示す図である。
【図１４】変形例の読取装置における図１３に対応する図である。
【発明を実施するための形態】
【００１２】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、機器は、部屋、ビル、施設等に複数配置される如何なる機器であってもよく、例えば、照明器具、空気調和器、スプリンクラー、センサ等であるが、以下では、機器が照明器具である場合を例に説明を行う。
【００１３】
（第１実施形態）
図１は、本開示の第１実施形態に係る照明器具２１の登録方法を使用可能な照明システム１の概要を説明する図である。図１に示すように、照明システム１は、照明装置２と、操作端末７を備える。照明システム１は、機器システムの一例である。照明装置２は、９個の照明器具２１を含み、複数の照明器具２１は、部屋の天井に３×３にマトリクス状に配置される。各照明器具２１は、アルファベットと番号で、Ａ１、Ａ２、Ａ３、Ｂ１、・・・、Ｃ２、Ｃ３と番号がふられている。
【００１４】
図２（ａ）は、照明器具２１の斜視図であり、図２（ｂ）は、照明器具２１を、一部を切り欠いた状態で示す正面図である。また、図２（ｃ）は、照明器具２１の主要構成のブロック図である。図２（ｂ）に示すように、照明器具２１は、光源２２が複数配置された構成を有し、光出射面が一方向に長い形状を有する。しかし、照明器具は、円形の光出射面を有するダウンライト等であってもよい。また、図２（ｃ）に示すように、照明器具２１は、光源２２、光源２２を点灯させるための点灯装置２３、例えばWi-Fi装置、Bluetooth（登録商標）装置等で構成される通信装置２４、及びＲＦ（radio frequency）タグ２５を含む。光源２２は、例えば、発光ダイオード（ＬＥＤ：light emitting diode；以下ＬＥＤという）チップを含む。光源２２及び通信装置２４は、点灯装置２３と電気的に接続される。図２（ｂ）に示すように、光源２２であるＬＥＤが基板に実装されたＬＥＤ基板２７が、板金部品２８の上に取り付けられ、ＲＦタグ２５は、板金部品２８の側方に接着剤等で取り付けられる。なお、ＲＦタグ２５は、照明器具２１の如何なる箇所に取り付けられてもよい。ＲＦタグ２５のメモリには、照明器具２１の固有情報である通信装置２４のアドレスが予め記憶されている。
【００１５】
再度、図１を参照して、照明装置２には、指令装置５から制御信号が伝送される。詳しくは、指令装置５は、アクセスポイント６とイーサネット（登録商標）で接続され、照明器具２１の通信装置２４（図２（ｃ）参照）と専用線で電気的に接続される。指令装置５は、アクセスポイント経由で送信される制御信号を照明装置２へ伝送する。
【００１６】
操作端末７は、９つの照明器具２１を制御し、各種アプリケーションが実装される。このアプリケーションにより、操作端末７で、照明器具２１の点灯,消灯や、照明器具２１が出射する光の調光等を実行できる。操作端末７は、無線でアクセスポイント６と接続される。制御信号が、操作端末からアクセスポイント、指令装置５、照明装置２へと送信されることで、照明器具２１を点灯,消灯させることができ、照明器具２１からの光を調光できる。照明器具２１の発光強度を調整可能とすることも好適である。
【００１７】
操作端末７は、照明器具２１を個別制御するために各照明器具２１のアドレスを知る必要がある。このため、読取装置の一例としてのＲＦリーダ８が、照明器具２１のアドレスを取得するために用いられる。矢印α及びβで示すＲＦリーダ８と各照明器具２１との信号のやり取りによって、ＲＦリーダ８で、照明器具２１に取り付けられたＲＦタグ２５（図２（ｃ）参照）のＩＤと、照明器具２１のメモリに記憶された通信装置２４のアドレスを読み取る。
【００１８】
ＲＦリーダ８によるＲＦタグ２５のＩＤと内蔵された情報の取得は、例えば次のように実行する。先ず、ＲＦタグ２５の構成について説明する。図３（ａ）は、ＲＦタグ２５の外観を示す模式図であり、図３（ｂ）は、ＲＦタグ２５の構成を示すブロック図である。図３（ａ）に示すように、ＲＦタグ２５は、薄板状の基材２６と、本体部３０と、アンテナ３１を含む。基材２６は、薄板状に構成され、樹脂等で形成される。また、本体部３０及びアンテナ３１は、基材２６上に取り付けられる。図３（ａ）及び図３（ｂ）を参照し、本体部３０は、制御回路３２と、メモリ３３を含む。図３（ｂ）に示すように、アンテナ３１及びメモリ３３の夫々は、制御回路３２に電気的に接続される。制御回路３２は、例えはメモリに記録された情報を再生するため等に用いられる。
【００１９】
次にＲＦタグ２５からの情報の取得動作を説明する。先ず、ＲＦリーダ８のアンテナからＩＤと内蔵された情報取得のコマンドを電波に乗せて送信する。この電波は、ＲＦタグ２５のアンテナ３１で受信される。ＲＦタグ２５は、受信した電波から制御回路３２の電力と送信されたコマンドを取り出す。ＲＦタグ２５の制御回路３２は、ＲＦタグ２５のＩＤと内蔵された情報をアンテナ３１から電波に乗せて送信する。ＲＦリーダ８は、そのアンテナでＲＦタグ２５のＩＤと内蔵された情報を受信する。ＲＦリーダ８の制御回路は、受信した電波からＲＦタグ２５のＩＤとアドレスを取り出す。１台の照明器具２１のＲＦタグの情報だけを取得したいので、ＲＦリーダ８は、出力が低く設定されると好ましく、電波が照明器具２１に近づけられた状態で発信されると好ましい。ＲＦリーダ８の電波を照射するトリガボタン（図に記載なし）を押している間、ＲＦリーダ８は、ＲＦリーダ８のアンテナからＩＤと内蔵された情報取得のコマンドを電波に乗せて送信し、ＲＦタグ２５から内蔵された情報を受信するという動作を繰り返す。
【００２０】
なお、ＲＦリーダ８による９個の照明器具２１の各種情報の読取は、例えばＡ１、Ｂ１、Ｃ１、Ｃ２、Ｂ２、Ａ２、Ａ３、Ｂ３、Ｃ３の順に行うことができるが、これに限らない。また、照明器具２１の数も、２以上の如何なる数であってもよい。また、ＲＦタグは、制御回路の電源を有するものが採用されてもよい。読み取りが終わると、図１に矢印γで示す方向に、後述の操作によって読み取ったデータをＲＦリーダ８から操作端末７に送信する。ＲＦリーダ８と操作端末７は、無線通信装置を備え、例えばBluetooth（登録商標）（数ｍ程度の機器間接続に使われる短距離無線通信技術の一つ）等を用いて相互に通信を行う。
【００２１】
図４は、作業者の作業手順の一例を示すフローチャートである。先ず、作業者は、ＲＦリーダ８を用いて各照明器具２１の固有情報の読み取りを行う（ステップＳ１）。照明器具２１の固有情報の読み取りは、全ての照明器具２１の固有情報の読み取りが完了するまで実行する（ステップＳ２）。全ての照明器具２１の固有情報の読み取りが完了すると、全ての照明器具２１の固有情報を、ＲＦリーダ８から操作端末７に送信する（ステップＳ３）。その送信の完了後、操作端末７の操作部を用いて、操作端末７に予め記憶されている複数の照明器具２１の複数の配置情報（レイアウト情報）に照明器具２１の固有情報を関連付ける（ステップＳ４）。この関連付けが完了すると、作業が終了する。
【００２２】
図５Ａ〜図５Ｄは、操作端末７の操作画面を表す図である。次に、図５Ａ〜図５Ｄを用いて、照明器具２１の固有情報を照明器具２１の配置情報に関連付ける操作について説明する。図５Ａを参照して、先ず、操作端末７において、制御対象の９つの照明器具２１の９つのアイコン３６が配置されたレイアウト図を有するアプリケーションを起動しておく。レイアウト図における９つのアイコン３６の配置位置の情報は、それに対応する９つの照明器具２１の配置情報となる。９つの照明器具２１のアイコン３６は、同一である。レイアウト図は、操作端末７上で作成されるか、施工図面等から照明器具の配置図を操作端末７に取り込むことで構成される。レイアウト図は、実際に設置される９つの照明器具２１のレイアウトに一致する。操作端末の画面上の「ＲＦタグ読み込み」ボタン３５を押すと、ＲＦリーダ８で読み取った９つのＲＦタグ２５のＩＤとアドレスが操作端末７に送信される。操作端末７は、データを受信すると操作端末７の画面上のＩＤ表示部６５に読み取ったＲＦタグ２５のＩＤを表示する。図５Ａに示すように、読み取ったＲＦタグ２５のＩＤは、ＩＤ表示部６５の上から下に読み取った順番に関連付けて表示される。
【００２３】
次に、図５Ｂに示すように、照明器具２１の固有情報を読み取った順番に操作端末７の画面上の照明器具２１のアイコン３６を選択する。作業者は、自ら読み取り作業を行っていて読み取った照明器具２１の順番を知っているのでこの作業を容易に行うことができる。ＲＦリーダ８で読み取られた複数の固有情報を、複数の照明器具２１の複数の配置情報に連続して関連付ける作業は、例えば、画面上で歩いた経路をなぞることで実行できる。又は、ＲＦリーダ８で読み取られた複数の固有情報を、複数の照明器具２１の複数の配置情報に連続して関連付ける作業は、照明器具２１に対応するアイコン３６を読み取り作業を行った照明器具２１の順番に触れることで実行できる。図５Ｂに示すように、この作業の後、画面には、９つの照明器具２１関して読み取り作業を行った照明器具２１の順番が、各照明器具２１に対応するアイコン３６を用いて表示される。この例では、作業者が、Ａ１、Ｂ１、Ｃ１、Ｃ２、Ｂ２、Ａ２、Ａ３、Ｂ３、Ｃ３の順に照明器具２１の固有情報の読み取りを行ったことが、矢印が記載された経路５５で示される。
【００２４】
作業者が、誤った順序でアイコン３６を選択した場合、「キャンセル」ボタン３８に触れることで、操作画面（表示画面）を図５Ａに示す状態に戻すことができる。他方、アイコン３６の選択順序が正しい場合、「決定」ボタン３７に触れると、図５Ｃに示すように、９つのＲＦタグ２５のＩＤが、画面上で９つの照明器具２１と同一のレイアウト配置されている９つの照明器具２１のアイコン３６に同時に関連付けされる。
【００２５】
９つの照明器具２１に対応するアイコン３６は、対応する照明器具２１の読み取りの順番で順序付けされ、各照明器具２１のＲＦタグ２５のＩＤも読み取られた順番に順序付けされている。よって、アイコン３６と、ＲＦタグ２５のＩＤとの関連付けが可能になり、その結果、各アイコン３６に対応する照明器具２１と、ＲＦタグ２５のＩＤとの関連付けが可能になる。
【００２６】
図５Ｃに示す例では、この関連付けは、ＲＦタグ２５のＩＤに対応する読み取り順番をアイコン３６上に表示することで視認可能になっている。図５Ｃに示す状態で、「決定」ボタン３７に触れると、図５Ｄに示すように、操作画面が照明器具を点灯して確認するか否かを問う表示を行う。この確認表示は、例えば、「確認のため登録した照明器具を点灯しますか。」との文言４０と、「キャンセル」ボタン４１と、「ＯＫ」ボタン４２を、画面に表示することで実行される。
【００２７】
この状態で、「ＯＫ」ボタン４２を選択すると、９つの照明器具２１は、固有情報が読み取られた順に点灯する。このとき、固有情報の読み取りが後の照明器具２１は、固有情報の読み取りが先の照明器具２１が消灯した後に点灯する。この順序立てられた照明器具２１の点灯により、施工段階で設定が正しくなされたか否かを確認できる。他方、図５Ｄに示す表示状態で、「キャンセル」ボタン４１を選択すると、照明器具２１の点灯による確認作業を省略できる。一連の作業終了後、「←」ボタン３９を押し、別の画面に遷移する。なお、図５Ｄに示す操作画面が存在しなくて確認作業ができない構成でもよい。
【００２８】
図６Ａは、操作端末７の設定完了後において、照明装置２が制御されている状態を示す図である。操作端末７の設定完了後においては、操作端末７の画面上のレイアウト図の照明器具のアイコン３６と、その実際の照明器具２１とが紐付けされている。したがって、操作端末７を用いて所望の照明器具２１にアクセスポイント６及び指令装置５を介して信号を出力でき、所望の照明器具２１を個別制御できる。図６Ａに示す例では、操作端末７がアクセスポイント６及び指令装置５を介してＡ２の照明器具２１に点灯信号を出力し、Ａ２の照明器具２１が点灯している。例えば、Ａ２の照明器具２１の点灯制御は、Ａ２の照明器具２１に対応するアイコン３６に触れるだけで実現できる。照明器具２１が点灯している間、対応するアイコン３６は、特定色に変わる。
【００２９】
この実施例では、所望の照明器具２１の調光・調色を自在に実行できる。詳しくは、図６Ｂに示すように、１以上の特定の照明器具２１が点灯制御されて選択されている状態で、画面には、色選択表示部５０が現れる。本実施例の色選択表示部５０では、色が、色温度と出力範囲（出力の大きさ）とで２次元表示される。この色選択表示部５０の色温度と出力範囲とで画定される２次元座標で一点５１を選択し、「決定」ボタン３７を選択すると、選択されている１以上の特定の照明器具２１から照射される色を、上記一点５１で指定した色に一致させることができる。図６Ｂに示す例では、Ａ２の照明器具２１の調光・調色が可能な状態になっている。なお、照明器具から照射される光の調光・調色を実行できない構成でもよい。
【００３０】
図７及び図８は、ＲＦリーダ８の操作画面を表す図である。次に、図７及び図８を用いて、読み取り作業の修正操作について説明する。
【００３１】
図７を参照して、ＲＦリーダ８で連続して複数の照明器具２１のＲＦタグ２５のＩＤを読み取る途中、誤って所望の照明器具２１以外の照明器具のＲＦタグのＩＤを読み込んでしまった場合について説明する。この場合、ＲＦリーダ８の画面に表示されるＲＦタグのＩＤリストのうち該当するＩＤを選択して消去する。詳しくは、ＲＦリーダ８は、所望の照明器具２１の固有情報（ＲＦタグ２５のＩＤ）の読み取りを行っている際に、所望の照明器具２１の固有情報の読み取りのみならず、他の照明器具２１の固有情報の読み取りも行うことが起こる。ＲＦリーダ８の画面には、全ての照明器具２１の固有情報の読み取りの後に、ＲＦタグのＩＤが読み取られた順に一列に表示され、各ＲＦタグのＩＤの読み取られた回数も表示される。
【００３２】
例えば、図７に示す例では、０X０００１のＩＤは、初めに読み取られ、全てのＲＦタグのＩＤの読み取りの間に２０回読み取りが行われたことが示されている。ここで、全ての照明器具２１の固有情報の読み取り作業の間に読み取り回数が少ないＩＤは、ＲＦリーダ８から離れて配置されている可能性が高く、所望の照明器具２１以外の照明器具のＩＤである可能性が高い。図７に示す例では、１０番目に読み取られた０X３０８４のＩＤは、全ての照明器具２１の固有情報の読み取り作業の間に２回しか読み取りが行われておらず、所望の照明器具２１以外の照明器具のＲＦタグのＩＤである可能性が高い。この場合、図７（ａ）に示すように、ＲＦリーダ８の枠上下移動ボタン４７によって、消去したい１０番目に読み取られたＩＤを取り囲むように枠を移動させる。そして、消去したい１０番目に読み取られたＩＤが枠で取り囲まれた状態で削除ボタン４８を操作することで、図７（ｂ）に示すように、ＲＦリーダ８が９つのＩＤを正常に読み込んだ状態にできる。
【００３３】
次に、図８を用いて、ＲＦリーダで連続して読み取ったＲＦタグのＩＤの数が想定している数に達しない場の操作について説明する。この場合、作業者は、図８で示すＲＦリーダ８の画面上に表示されるＲＦタグのＩＤと、その読み取り回数を確認しながら再度各照明器具２１のＲＦタグを読み取る。この読み取りで、前回読み取りがなかったＲＦタグのＩＤの取り込みを確認することで、作業者は、新たなＲＦタグのＩＤが読み込まれた順番がわかる。前回読み取りがなかったＲＦタグのＩＤは、図８（ａ）に示すように、ＲＦリーダ８の画面の最後に表示される。この追加されたＩＤを、枠上下移動ボタン４７の操作によって枠で囲った状態にした後、「選択」ボタン５８を操作して選択し、更に、枠上下移動ボタン４７の操作で、図８（ｂ）に示すように、読み込まれた順番の行に移動させて挿入する。この操作で、ＲＦリーダ８が９つのＩＤを読み込んだ順に記憶した状態にでき、９つのＩＤを正常に読み込んだ状態にできる。所望の数のＩＤが取得できれば、それらのＩＤを操作端末７に送信する。本実施例では、図７及び図８に示す操作ができるので、ＩＤの読み取り操作を誤った場合でも、再度、全てのＩＤの読み取りを行う必要がなく、使い勝手の良い操作を実現できる。なお、図７及び図８で説明した操作が、ＲＦリーダでなくて操作端末で実行できる構成でもよい。また、図７及び図８で説明した操作を、ＲＦリーダでも、操作端末でも実行できない構成でもよい。
【００３４】
以上の説明より明らかなように、第１実施形態によれば、照明器具２１の登録方法は、複数の照明器具２１を、照明器具２１を操作する操作端末７に記憶される複数の照明器具２１の複数の配置情報に関連付ける。また、照明器具２１の登録方法は、複数の照明器具２１に含まれる各照明器具２１の固有情報を、ＲＦリーダ８を用いて少なくとも２以上連続して読み取るステップと、操作端末７に複数の配置情報を記憶するステップと、を含む。また、照明器具２１の登録方法は、ＲＦリーダ８で読み取られた少なくとも２以上の固有情報を、複数の配置情報のうちの少なくとも２以上の配置情報に連続して関連付けるステップと、を含む。
【００３５】
したがって、２以上の固有情報を、操作端末７上の２以上の配置情報に正確に対応付けできる。よって、２以上の固有情報を、２以上の配置情報に同時に関連付けでき、紐付けできる。詳しくは、次の参考例の登録方法を考える。参考例の登録方法では、読取装置に複数の固有情報を読み込んだ後、各固有情報に対応する照明器具を実際に点灯させる。そして、各固有情報に対応する配置情報を、操作端末に記憶されているレイアウト図において実際に点灯した照明器具に対応する配置位置に移動させることで関連づけを行う。この参考例の登録方法と異なり、照明器具２１の登録方法は、一つずつ固有情報を配置情報に関連づける必要がない。よって、登録の作業効率を向上でき、施工時間を短縮できる。また、上記参考例の登録方法と異なり、照明器具２１を点灯させなくても固有情報と配置状態の関連づけができる。すなわち、照明器具の固有情報を読み取ってから照明器具２１を所定位置に配置してもよくて、照明器具２１を天井の所定位置に配置する前でも、固有情報と配置状態の関連づけが可能になるため、当該関連づけを容易に実行できる。また、登録する固有情報の数が多いほど作業効率を上げることができる。
【００３６】
また、照明器具２１の登録方法は、ＲＦリーダ８で読み取った複数の固有情報の数が、操作端末７に登録された複数の照明器具２１の数より多い時に、読み取った複数の固有情報のうちの１以上の固有情報を削除するステップを含んでもよい。
【００３７】
上記構成によれば、ＲＦリーダ８で読み取った複数の固有情報の数が、操作端末７に登録された複数の照明器具２１の数より多い時に、再度、全ての照明器具２１の固有情報を読み取る必要がなく、照明システムに無関係な固有情報を削除するだけでよい。したがって、登録の作業効率を向上できる。
【００３８】
また、照明器具２１の登録方法は、ＲＦリーダ８で読み取った複数の固有情報の数が、操作端末７に登録された複数の照明器具２１の数より少ない時に、新たに読み取った照明器具２１の固有情報を操作端末７に挿入するステップを含んでもよい。
【００３９】
上記構成によれば、ＲＦリーダ８で読み取った複数の固有情報の数が、操作端末７に登録された複数の照明器具２１の数より少ない時に、再度、全ての照明器具２１の固有情報を読み取る必要がないようにでき、読み取りできなかった固有情報を追加することができる。したがって、登録の作業効率を向上できる。
【００４０】
また、固有情報の読み取りを、ＲＦタグを用いて行ってもよい。
【００４１】
上記構成によれば、データ容量を大きくでき、固有情報以外の機器情報も収容できる。また、バーコード等の識別子のように一部が隠れた状態になると情報を読み取ることが不可能になることがなく、全てが隠れた状態であっても、ＲＦリーダ８をかざすだけで認証作業を行うことができる。
【００４２】
また、本開示の照明システム１は、複数の照明器具２１と、本開示の照明器具２１の登録方法を用いて照明器具２１の固有情報が登録された操作端末７と、を備えてもよい。
【００４３】
上記構成によれば、照明システム１を、労力をかけずに短時間で構築できる。また、本登録方法は登録する固有情報の数が多いほど作業効率を上げることができる。よって、照明システム１は、登録する固有情報の数が多いほど、登録の作業時間及びそれに関わる費用を減らすことができる。
【００４４】
また、本開示の照明システム１は、複数の照明器具２１と、第１実施形態で開示された機器の登録方法を用いて照明器具２１の固有情報が登録された操作端末７と、を備えてもよい。そして、照明システム１において、複数の照明器具２１が、少なくとも一回、固有情報が読み取られた順番に点灯可能であってもよい。
【００４５】
上記構成によれば、複数の照明器具２１が、固有情報を読み取られた順に点灯する。よって、施工段階で設定が正しくなされたか否かを確認できる。
【００４６】
なお、本開示の固有情報と配置情報の関連づけは、第１実施形態のように、複数の固有情報の全ての固有情報の関連づけに用いられなくてもよく、複数の固有情報のうちの一部の固有情報とそれに対応する配置情報の関連づけのみに適用されてもよい。すなわち、本開示の固有情報と配置情報の関連づけは、読取装置で読み取られた少なくとも２以上の固有情報の関連づけに用いられればよい。
【００４７】
（第２実施形態）
図９は、本開示の第２実施形態に係る照明器具１２１の登録方法を使用可能な照明システム１０１の概要を説明する図である。照明システム１０１は、機器システムの一例である。なお、第２実施形態では、第１実施形態と同一の構成に第１実施形態と同一の参照番号を付して説明を省略する。また、第２実施形態では、第１実施形態と同一の作用効果と変形例についての説明を省略する。
【００４８】
図９に示すように、第２実施形態では、アクセスポイント１０６がルータ１０７と接続され、ルータ１０７が、インターネット１０８と接続されて、インターネット１０８上のサーバ１０９にアクセスする。また、照明装置１０２に含まれる９つの照明器具１２１が、ＲＦタグの替わりに識別子、例えばバーコードやＱＲコード（登録商標）を含む。また、操作端末１３０がカメラ等の撮影手段を有し、撮影手段が照明器具１２１の本体部の表面に取り付けられているバーコードやＱＲコード（登録商標）を撮影することで各照明器具１２１の固有情報（識別情報（ＩＤ））を取得する。第２実施形態では、操作端末１３０が読取装置も兼用する。また、操作端末１３０が、識別子から固有情報を取得する一方、アクセスポイント１０６、ルータ１０７、及びインターネット１０８を介してサーバ１０９から照明器具１２１の固有情報以外の他情報を取得する。固有情報、及び上記他情報の夫々は、機器情報に含まれる。また、上記他情報の一部は、例えば、固有情報と紐付けられた照明器具のＭＡＣ（Media Access Control）アドレスと、色温度−出力範囲の情報を含む。固有情報と紐付けられた照明器具のＭＡＣアドレスおよび色温度−出力範囲は、インターネット１０８上のサーバ１０９に予め保存されている。ＭＡＣアドレスは、固有のアドレス情報の一例である。なお、インターネット上のサーバには、ＭＡＣアドレス以外の如何なる固有のアドレス情報が予め保存されてもよい。
【００４９】
一般的に、バーコードやＱＲコード（登録商標）の容量は、ＲＦタグの容量よりも小さい。よって、照明器具１２１の識別情報等の各種情報をバーコードやＱＲコード（登録商標）から読み取る場合、読み取り可能な情報がＲＦタグを使用している場合よりも少なくなる。よって、第２実施形態のように、バーコードやＱＲコード（登録商標）を用いている場合、情報の一部がサーバ１０９からのインターネット１０８を介して取得できると好ましい。
【００５０】
照明器具１２１の情報と、操作端末１３０に記憶された照明器具１２１の配置情報（レイアウト情報）とは、例えば次のように関連付けられる。先ず、照明器具１２１を天井に取り付ける前に、９つの照明器具１２１の９つの識別子を操作端末１３０で順序立てて連続的に読み取る。その後、第１実施形態と同様に、操作端末１３０に予め作成しておいた９つの照明器具１２１の配置が示されたレイアウト図の９つのアイコンに、読み取った９つの識別子の９つの固有情報を連続して関連付ける。その後、９つの照明器具１２１を操作端末１３０のレイアウト図にしたがって天井に設置して電源を投入する。また、操作端末１３０を、インターネット１０８上のサーバ１０９に接続し、照明器具１２１の固有情報と紐付けられたＭＡＣアドレスおよび色温度−出力範囲を取得する。なお、配置情報に関連づけられて固有情報を含む機器情報が、ＭＡＣアドレスおよび色温度−出力範囲の情報を含む場合について説明した。しかし、配置情報に関連づけられて固有情報を含む機器情報は、ＭＡＣアドレス、品番、品名、型番、調光カーブ、色温度−出力範囲、及び色調範囲のうちの少なくとも１つに関連した情報を含んでもよい。
【００５１】
図１０は、第２実施形態において図２に対応する照明器具１２１の構成を説明する図である。図１０（ａ）に示すように、識別子１４０は、照明器具１２１の表面カバー１６０の表側面に取り付けられる。また、照明器具１２１は、光源２２、点灯装置２３、通信装置２４、及び識別子１４０を有し、光源２２及び通信装置２４は、点灯装置２３と接続される。通信装置２４は、Wi-Fi装置等の無線通信装置で構成されると好ましい。
【００５２】
次に、図１１Ａ及び図１１Ｂを用いて、照明装置１０２の制御と、色温度−出力範囲の情報を反映させる手法について簡潔に説明する。図１１Ａは、照明状態を制御する制御コマンドの送信経路について説明する図である。図１１Ａに示すように、第２実施形態では、第１実施形態で存在していた指令装置は存在せず、照明状態を制御する制御コマンドは、操作端末１３０から送信され、アクセスポイント１０６を通して各照明器具１２１に伝達される。また、第２実施形態では、操作端末１３０がサーバ１０９から各照明器具１２１の色温度−出力範囲の情報を取得する。よって、図１１Ｂ、すなわち操作端末１３０上の照明制御画面を表す図に示すように、その情報を、照明制御画面の調光・調色を設定する表示部１５０に反映させることができる。例えば、サーバ１０９に記憶されている情報が、色温度範囲が２７００〜５０００Ｋであると共に出力範囲が１０〜１００％である場合、その情報を、表示部１５０を構成する２次元平面上で一点１５１を示すことで反映できる。図１１Ｂに示す例では、Ａ２の照明器具１２１における色温度−出力範囲の情報が表示されている。このように照明器具１２１のＭＡＣアドレスだけでなく、照明器具１２１の制御に必要なパラメータを取得することで、より正確な照明制御を実行できる。第２実施形態によれば、固有情報の読み取りを、識別子１４０を用いて行う。したがって、照明器具１２１への固有情報の紐づけを簡単安価に実現できる。
【００５３】
（第３実施形態）
照明装置の制御は、個別の照明器具毎に実行してもよいが、同じグループに属する複数の照明器具に関して同じ制御を実行してもよい。第３実施形態では、照明装置をグループ制御する場合における固有情報と配置情報（レイアウト情報）の関連付けについて説明する。なお、第３実施形態では、第１実施形態と同一の作用効果と変形例についての説明と、第２実施形態と同一の作用効果と変形例についての説明を省略する。
【００５４】
グループ制御における上記関連付けにおいても、ＲＦタグのＩＤを操作端末に送信するまでは第１実施形態と同様の作業を行う。しかし、ＲＦリーダによる固有情報の連続的な読み取りは、同じグループに属する照明器具のみで行われ、同じグループに属する照明器具の固有情報の連続的な読み取りが完了すると、固有情報の読み取り作業は、一旦、中断する。
【００５５】
図１２Ａは、照明装置をグループ制御する場合において情報の関連づけを行う際の操作端末２０７の操作画面を表す図であり、照明器具のレイアウト図を含む操作画面である。この操作画面において、第１の列に含まれる６つのアイコン２３６に対応する６つの照明器具は、窓際に配置され、同一のグループに属する。このグループの情報の関連付けを行う場合、先ず、ＲＦリーダによる固有情報の連続的な読み取りは、窓際に配設される６つの照明器具に対して連続的に実行される。そして、ＲＦリーダによる６つの照明器具に対する６つの固有情報の読み取りが完了すると、ＲＦリーダによる固有情報の読み取り作業は一旦中断される。図１２Ａに示す操作画面は、上記６つの固有情報が操作端末２０７に送信された後の状態を示す。
【００５６】
例えは、この状態で、作業者は、「グループ設定」ボタン２７０に触れた後、Ａ１〜Ｆ１の６つのアイコンに触れ、続いて、「決定」ボタン２７１に触れる。この操作を行うと、図１２Ｂに示す操作画面が表れ、第１の列に含まれる６つのアイコン２３６の色が変わり、６つのアイコン２３６が、１つの枠で取り囲まれる。その後、「ＲＦタグ読み込み」ボタン２７２に触れると、６つの固有情報と６つのアイコン２３６とが関連付けられ、紐づけられる。
【００５７】
なお、図１２Ｂに示す操作画面において、「キャンセル」ボタン２７４に触れると、複数のアイコンが、１つの枠で取り囲まれている状態をキャンセルでき、図１２Ａに示す操作画面に戻すことができる。また、グループ制御の場合には、同じグループに所属する複数のアイコンに、そのアイコンの数と同じ数のＲＦタグのＩＤを紐づけすればよく、個々の照明器具のアイコンにＲＦタグのＩＤを１つずつ紐付けする必要はない。よって、第１の列に含まれる各アイコンに対応するＲＦタグのＩＤを特定する必要はない。
【００５８】
次に、図１２Ｂに示す操作画面で、「グループ名前」ボタン２７３に触れると、図示しない名前登録画面が表示される。この画面で、例えば「窓際」という文言を登録すると、第１の列に含まれる６つのアイコンが「窓際」として設定される。例えば、これと同様の作業により、Ａ２〜Ｅ４の１５個のアイコンが所属するグループを、「執務エリア」として設定し、また、Ｆ２〜Ｆ４の３つのアイコンが所属するグループを「共用部」と設定する。「窓際」、「執務エリア」、及び「共用部」は、各グループの属性を表す。
【００５９】
この設定が完了すると、操作画面が、図１２Ｃに示す各グルーブに属する照明器具の照明状態を設定する画面に変わる。この操作画面において、まず、「窓際」ボタン２８０に触れ、その後、照明制御画面の調光・調色を設定する表示部２５０で一点２５１に触れると、「窓際」グループに属する６つの照明器具が照射する光を、その一点２５１で表す光に設定できる。その後、「決定」ボタン２８３に触れると、この設定が登録される。設定を誤った場合に、「キャンセル」ボタン２８４を選択すると、再度、表示部２５０で一点を選択できるようになる。同様に、「執務エリア」ボタン２８１を用いて、「執務エリア」グループに属する１５個の照明器具が照射する光を設定し、「共用部」ボタン２８２を用いて、「共用部」グループに属する３つの照明器具が照射する光を設定する。
【００６０】
これにより、同じグループ設定した照明器具は、同じ点灯、消灯コマンドで点灯又は消灯させることができる。この動作は、マルチキャストで同時に複数のコマンドを送信することで実現できる。図１２Ｄは、照明状態を制御する操作画面を示す図である。図１２Ｄに示す例では、「窓際」ボタン２９０が選択されており、窓際に属する６つの照明器具が、同じ光を照射している。「窓際」ボタン２９０、「執務エリア」ボタン２９１、及び「共用部」ボタン２９２は、一つのみを選択することができ、それらボタン２９０〜２９２のうちの２以上のボタンが同時に選択されることもできる。
【００６１】
第３実施形態のように、属性をともなう範囲を指定した照明装置を制御する場合、属性に基づいて照明器具を点灯又は消灯等の操作をできるようになる。したがって、行っている操作を認識し易く、別の照明器具を点灯するといった間違いを抑制できる。
【００６２】
なお、図１２Ａ〜図１２Ｄに示す操作画像は、一例であり、アイコンの数は、２４以外の数であってもよい。また、「窓際」、「執務エリア」、及び「共用部」の文言が登録されなくてもよく、如何なる文言が用いられてもよい。また、グループの数も３に限らず、２又は４以上であってもよい。また、アイコンのレイアウトも、第１及び第３実施形態のようにマトリックス状のレイアウトでなくてもよく、実際の複数の照明器具の配置に対応する歪な形状のレイアウトであってもよい。
【００６３】
以上、第３実施形態によれば、照明器具の登録方法は、複数の照明器具を、照明器具を操作する操作端末２０７に記憶される複数の照明器具の複数の配置情報に関連付ける。また、その照明器具の登録方法は、複数の照明器具に含まれる各照明器具の固有情報を、ＲＦリーダを用いて少なくとも２以上を連続して読み取るステップと、操作端末２０７に複数の配置情報を記憶するステップと、を含む。また、その照明器具の登録方法は、ＲＦリーダで読み取られた少なくとも２以上の固有情報を、複数の照明器具に含まれる少なくとも２以上の照明器具で構成される同一のグループの少なくとも２以上の配置情報に関連付けるステップを含む。
【００６４】
したがって、２以上の固有情報を、操作端末７上の２以上の配置情報に対応付けできる。よって、２以上の固有情報を、２以上の配置情報に同時に関連付けでき、紐付けできるので、登録の作業効率を向上でき、施工時間を短縮できる。また、登録する固有情報の数が多いほど作業効率を上げることができる。また、同一のグループに属する複数の照明器具に同一の点灯制御を同時に実行することができる。
【００６５】
また、少なくとも２以上の固有情報を、グループと、そのグループの属性とに関連づけるステップを含んでもよい。
【００６６】
上記構成によれば、グループの属性を把握できて、グループに属する照明器具の制御を正確に実行し易くなる。
【００６７】
（好適な読取装置）
図１３は、第１及び第３実施形態でＲＦタグのＩＤを読み取る際に好適に用いることができる読取装置３００の構成を示す図である。読取装置３００は、アンテナを含む読取部３０１が支持体３０２の一方の先端に取り付けられている。支持体３０２は、カメラの三脚の脚で使われている構造と類似の構造を有する。詳しくは、支持体３０２は、径の異なる中空の複数のパイプ３０３,３０４が入れ子になり、パイプ３０３,３０４同士が接続部品で固定される構成を有する。その結果、支持体３０２の長さは、任意の長さに変えることができる。
【００６８】
支持体３０２の他方の端には、トリガ部３０５が設けられ、トリガ部３０５の近傍にモニタ部３０６がある。読取部３０１、トリガ部３０５、及びモニタ部３０６は、有線もしくは無線通信で接続される。トリガ部３０５のトリガを引くとモニタ部３０６にトリガ信号が送信され、モニタ部３０６は、読取部３０１に電波の発射信号を送信する。トリガを離せば電波の照射は停止する。
【００６９】
作業者は天井に取り付けられた照明器具３２１のＲＦタグに電波が届くように支持体３０２の長さを調整し、ＲＦタグの取付部３３０に読取部３０１を向け、トリガを引く。すると、読取部３０１から電波が発射され、照明器具３２１のＲＦタグが電波を受信する。ＲＦタグは、メモリに内蔵されている自身のＩＤと照明器具３２１内の通信装置のアドレスを電波に乗せて発射する。読取装置３００は、ＲＦタグから発射された電波を受信し、照明器具３２１の通信装置のアドレスを取得し、モニタ部３０６にＲＦタグのＩＤと通信装置のアドレスを表示する。複数の照明器具３２１の固有情報を読み取ると、モニタ部３０６に読み取った数の照明器具３２１の固有情報が表示される。その後、図示しない操作端末から読取装置３００にＲＦタグ読み込み信号を送信し、操作端末に読み取った照明器具３２１の固有情報を送信する。
【００７０】
読取装置３００は、延伸構造を備えた支持体３０２と、トリガ部と３０５とを備える。したがって、高い天井に設置された照明器具３２１の固有情報を容易に読み取ることができる。
【００７１】
図１４は、変形例の読取装置４００における図１３に対応する図である。図１４に示す読取装置４００は、支持体４０２、読取部４０１に加えて、図示しない取付部を有する。この取付部には、操作端末４０７が取り付けられる。この取付部は、例えば、スマホの自撮り棒のように、操作端末４０７を挟み込んで固定する構造で実現できる。読取装置４００には、トリガ部はなく、操作端末４０７のアプリケーション上で読取ボタンを押すことで、電波の発射、ＲＦタグからの電波の受信、照明器具の固有情報の抽出、及び画面への表示を実行できる。
【００７２】
読取装置４００は、支持体４０２が操作端末４０７を固定する取り付け部を備える。よって、操作端末４０７への固有情報の送信を容易に行うことができ、読み取り効率を上げることができる。
【００７３】
（好適なプログラム）
更には、次の条件を満足するプログラムを使用してもよい。詳しくは、次の（ａ）、（ｂ）、（ｃ）の条件を満足するプログラムを使用してもよい。（ａ）プログラムが、複数の照明器具を、照明器具を操作する操作端末に記憶される複数の機器の複数の配置情報に関連付ける処理をコンピュータに実行させる。（ｂ）プログラムが、複数の照明器具であって各照明器具が固有情報を有する複数の照明器具に含まれる２以上の固有情報を、操作端末に記憶された複数の配置情報のうちの２以上の配置情報に同時に関連づける処理をコンピュータに実行させる。（ｃ）上記２以上の固有情報は、操作端末に入力された２以上の固有情報である。
【００７４】
又は、次の（ｄ）、（ｅ）、（ｆ）の条件を満足するプログラムを使用してもよい。（ｄ）プログラムが、複数の照明器具を、照明器具を操作する操作端末に記憶される複数の照明器具の複数の配置情報に関連付ける処理をコンピュータに実行させる。（ｅ）プログラムが、複数の照明器具であって各照明器具が固有情報を有する複数の照明器具に含まれる２以上の固有情報を、関連付けの順序が決まっている２以上の照明器具の配置情報にその順序の順に連続的に関連づける処理を、コンピュータに実行させる。（ｆ）上記２以上の固有情報は、操作端末に入力された２以上の固有情報である。
【００７５】
第１乃至第３実施形態の説明より明らかなように、これらのプログラムを用いれば、照明器具の固有情報と、操作端末に記憶される機器の配置情報とを効率的に関連付けでき、照明器具の登録を効率的に実行できる。
【符号の説明】
【００７６】
１,１０１  照明システム、  ７,１３０,２０７,４０７  操作端末、  ８  ＲＦリーダ、  ２１,１２１,３２１  照明器具、  ２５  ＲＦタグ、  １４０  識別子、  ３００,４００  読取装置、  ３０２,４０２  支持体、  ３０５  トリガ部。
【図１】
2018206516.tif 000003
【図２】
2018206516.tif 000004
【図３】
2018206516.tif 000005
【図４】
2018206516.tif 000006
【図５Ａ】
2018206516.tif 000007
【図５Ｂ】
2018206516.tif 000008
【図５Ｃ】
2018206516.tif 000009
【図５Ｄ】
2018206516.tif 000010
【図６Ａ】
2018206516.tif 000011
【図６Ｂ】
2018206516.tif 000012
【図７】
2018206516.tif 000013
【図８】
2018206516.tif 000014
【図９】
2018206516.tif 000015
【図１０】
2018206516.tif 000016
【図１１Ａ】
2018206516.tif 000017
【図１１Ｂ】
2018206516.tif 000018
【図１２Ａ】
2018206516.tif 000019
【図１２Ｂ】
2018206516.tif 000020
【図１２Ｃ】
2018206516.tif 000021
【図１２Ｄ】
2018206516.tif 000022
【図１３】
2018206516.tif 000023
【図１４】
2018206516.tif 000024